(57)【特許請求の範囲】
【請求項１】
スクイズ変形可能で復元自在な可撓性を有し、上部に円筒状の外容体口部(2)を立設した外容体(1)と、前記外容体口部(2)に円筒状の内容体口部(13)を直接嵌合組付き固定した状態で前記外容体(1)の内部に位置する、減容変形自在な内容体(11)と、前記内容体口部(13)内部に嵌合組付き固定し、外部の空気の進入を不能に内容体口部(13)の開口部を開閉する第１逆止弁部(21)と、前記外容体口部(2)と内容体口部(13)のいずれか一方に嵌合組付き固定され、他方に先端部を密周接して、前記外容体(1)と内容体(11)との間に形成される口部上端から底部に至る空気の流動通路(8)を外部からの空気の進入は可能に、内部からの空気の排出を不能に開閉する第２逆止弁部(26)と、を有する注出容器。
【請求項２】
第２逆止弁部(26)を、円筒状の外嵌筒片(27)の下端に復元自在な内側への変形を可能に下方に拡径したテーパー筒状の第２弁体(28)を垂下設した構成とし、前記外嵌筒片(27)を内容体口部(13)に密外嵌し、前記第２弁体(28)の外周端を外容体口部(2)の内周面に密周接した状態で、前記第２逆止弁部(26)を前記内容体口部(13)に組付き固定した、請求項１記載の注出容器。
【請求項３】
内容体口部(13)の内周面から内鍔周片(15)を連接して注出口(17)を形成し、第１逆止弁部(21)を円筒状の嵌入筒片(22)の下端部に連結片(24)を介して第１弁体(23)を連設した構成とし、前記嵌入筒片(22)を内容体口部(13)に密嵌入し、該嵌入筒片(22)の下端面を前記内鍔周片(15)の上面に当接した状態で、前記第１逆止弁部(21)を内容体口部(13)の内部に組付き固定し、前記第１弁体(23)が前記注出口(17)を開閉する請求項１または２記載の注出容器。
【請求項４】
円筒状の注出筒片(32)の上端に、外鍔状にフランジ片(33)を連設、また縮径部を介して先端筒片(34)を立設した注出部(31)を、前記注出筒片(32)を第１逆止弁部(21)の嵌入筒片(22)に密嵌入し、前記フラジ片(33)の下面を内容体口部(13)の上端面に当接した状態で、該内容体口部(13)の上端部に組付き固定する構成とした、請求項３記載の注出容器。
【請求項５】
外容体胴部(3)と内容体胴部(12)をチューブ体から形成した、請求項１、２、３または４記載の注出容器。
【請求項６】
内容物を目薬とした、請求項１、２、３、４または５記載の注出容器。
【発明の詳細な説明】
【０００１】
【発明の属する技術分野】
本発明は、注出容器、特には容器内部へ外部の空気を進入させることなく内容物の注出が可能な目薬用容器等の注出容器に関する。
【０００２】
【従来の技術】
たとえば、目薬等の薬品を収納する容器においては、容器の胴部を指で押圧して、少量づつを注出する容器が多く用いられているが、注出を終わって押圧状態を解除すると、胴部が弾性的にもとの形状に戻り、その結果として外部の空気が容器内部に進入し、空気中に存在する異物や雑菌が内容液に混入してしまうという問題があった。
【０００３】
このような問題を解決するための方法として、たとえば特開平４−２９７２６４号公報、特開平６−１４９７２号公報には、内容液の吐出流路内にフィルターを付設する方法、また実開昭６３−１８３０４７には容器の末端部が扁平化された形状もしくは偏平状態に折り畳み可能にして、容器の容積が内容液の減少にしたがって減少するようにし、外部の空気の進入を抑制する方法についての記述が有る。
【０００４】
さらに、外部の空気を進入させない方法として、実開平７−２２９５１号公報には、内部容体（内容体）を内部に収納した容器本体（外容体）の開口部に注出キャップ体を冠着し、このキャップ体に内容物を注出可能で、かつ外部の空気を吸入しない内容物吐出弁と、外部の空気を吸入可能でかつ空気を外部に吐出しない空気吸入弁を設け、内容物が減少した分、内部容体と容器本体の空隙に外部の空気を導入する二重容器についての記載が有る。
【０００５】
【発明が解決しようとする課題】
しかしながら、吐出流路内にフィルターを付設する方法は、フィルターの目詰まり、あるいはフィルターの部分で雑菌が繁殖する等の問題があり、実開昭６３−１８３０４７の末端部を偏平化する方法は、主としてたとえば歯磨き用チューブ等に用いられるものを応用しようとするものであり、使用上の利便性、外観上の問題があった。
【０００６】
また、実開平７−２２９５１号公報の二重容器においては、特に注出キャップ体で容器本体と内部容体の口部を組付き固定し、またこの注出キャップ体に外部の空気を吸入可能でかつ空気を外部に吐出しない空気吸入弁の機能を付加する等、複雑な構成であり、特に目薬等の注出容器では現実にはこのような機能を、高い生産性を維持しながら、付設することが難しく実現することが困難であった。
【０００７】
本発明は上記した従来の技術の問題点を解消すべく創案されたものであり、高い生産性を維持しながら、特には小型の二重容器で実現可能な逆止弁機構の創出を技術的課題とし、もって生産性が高く、外気の内部への進入がなく、衛生面で優れた注出容器を提供することを目的とする。
【０００８】
【課題を解決するための手段】
上記技術的課題を解決するための本発明のうち、請求項１記載の手段は、
スクイズ変形可能で復元自在な可撓性を有し、上部に円筒状の外容体口部を立設した外容体を有すること、
外容体口部に円筒状の内容体口部を直接嵌合組付き固定した状態で外容体の内部に位置する、減容変形自在な内容体を有すること、
内容体口部内部に嵌合組付き固定し、外部の空気の進入を不能に内容体口部の開口部を開閉する第１逆止弁部を有すること、
外容体口部と内容体口部のいずれか一方に嵌合組付き固定され、他方に先端部を密周接して、外容体と内容体との間に形成される口部上端から底部に至る流動通路を外部からの空気の進入は可能に、内部からの空気の排出を不能に開閉する第２逆止弁部を有すること、
にある。
【０００９】
請求項１記載の上記構成にあって、外容体と、内容体と、第１逆止弁部および第２逆止弁部を組付き固定することにより、外容体と内容体との間に形成され、口部上端から底部に至る空隙は連通した空気の流動通路となるが、外容体口部あるいは内容体口部のいずれか一方に組付き固定され、他方に先端部を密周接する第２逆止弁部が、外容体口部と内容体口部により形成される間隙に位置し、流動通路を外部からの空気の進入は可能に、内部からの空気の排出を不能に開閉する逆止弁としての作用効果を発揮する。
【００１０】
外容体の胴部の押圧により、内容体内に収納された内容物を注出した後、押圧を止め、押圧を解除すると内容物の注出が止まり、外容体の胴部が弾性的な回復力により元の形に復元し始め、内容体口部に組付き固定した第1逆止弁の作用効果により内容体内部への内容物の逆流および外部の空気の進入を防ぐことができる。
【００１１】
この際、内容体は減容変形した状態を保持したままであるので、外部の空気が口部上端面から導入され、第2逆止弁部の先端部を変形させ、その密周接状態を解除しながら、外容体と内容体から形成される空隙に進入し、その結果として内容体が減容変形した形状のままで、外容体が元の形状に復元される。
【００１２】
外容体が元の形状に復元した状態から、内容物を注出するために再度押圧する際には、第2逆止弁部の逆止機能により、流動通路の連通が遮断されるため、内容物に圧力が加えられ、内容物が第１逆止弁部を開けて外部に注出される。
【００１３】
上記のように、外部の空気を内容体内へ進入させることなく、外容体と内容体の空隙に進入させることにより、内容物を外部の空気に触れさせることなく、押圧による注出操作性を損なうことない容器を提供することができる。
【００１４】
ここで、請求項１の構成は、外容体口部と内容体口部を直接組付き固定し、また、第１逆止弁部を内容体口部に、さらに第２逆止弁部を内容体口部あるいは外容体口部に嵌合組付けするものであるので、部材数を少なくすること、容器の組み立て工程を簡略化することができ、目薬注出容器のような小型のものにおいても、２種の逆止弁を有した二重容器を高い生産性を維持しながら提供することが可能になった。
【００１５】
請求項２記載の発明の手段は請求項１記載の発明において、第２逆止弁部を、円筒状の外嵌筒片の下端に復元自在な内側への変形を可能に下方に拡径したテーパー筒状の第２弁体を垂下設した構成とし、外嵌筒片を内容体口部に密外嵌し、第２弁体の外周端を外容体口部の内周面に密周接した状態で、第２逆止弁部を前記内容体口部に組付き固定することにある。
【００１６】
請求項２記載の上記構成は、第２逆止弁部の構造および組付き固定方法に関するものであるが、全体の形状が軸対称な有頂の下方に拡径したテーパー筒状であり軟質合成樹脂あるいはゴム状の材料を用いて容易に成形することが可能である。
【００１７】
また、この第２逆止弁部の組付き固定は、円筒状の外嵌筒片を、円筒状の内容体口部に外嵌するものであり、周方向の位置決めをすることなく容器に組付き固定を達成することでき、第２弁体の外周端を精度高く外容体口部の内周面に周接させることができ、さらに同時に内容体口部とのシール性も確実に保持されるので、逆止弁としての作用効果を確実に発揮させることができる。
【００１８】
すなわち、本請求項記載の第２逆止弁部は、安価に製造することができ、またその組付き固定の工程も容易なものであるので、信頼性の高い容器を安価で提供できる。
【００１９】
請求項３記載の発明の手段は請求項１または２記載の発明において、内容体口部の内周面から内鍔周片を連接して注出口を形成し、第１逆止弁部を円筒状の嵌入筒片の下端部に連結片を介して第１弁体を連設した構成とし、嵌入筒片を内容体口部に密嵌入し、この嵌入筒片の下端面を内鍔周片の上面に当接した状態で、第１逆止弁部を内容体口部の内部に組付き固定し、第１弁体が注出口を開閉すること、にある。
【００２０】
請求項３記載の上記構成は、第１逆止弁部の構造および組付き固定方法に関し、この第１逆止弁部の組付き固定は、円筒状の嵌入筒片を、円筒状の内容体口部に嵌入し、下端面を内鍔周片の上面に当接した状態で組付き固定するので、周方向の位置決めをすることなく、容易に正確な位置への組付き固定を達成することでき、同時に内容体口部とのシール性も確実に保持されるので、第１弁体による逆止弁としての作用効果を確実に発揮させることができる。
【００２１】
請求項４記載の発明の手段は請求項３記載の発明において、円筒状の注出筒片の上端に、外鍔状にフランジ片を連設、また縮径部を介して先端筒片を立設した注出部を、注出筒片を第１逆止弁部の嵌入筒片に密嵌入し、フラジ片の下面を内容体口部の上端面に当接した状態で、内容体口部の上端部に組付き固定する構成とすること、にある。
【００２２】
請求項４記載の上記構成により、第１逆止弁部の嵌入筒片は内外からそれぞれ円筒状の注出筒片および内容体口部により挟まれ、さらに上端面がフランジ片に当接した状態とすることができるので、組付き固定およびシール性がより強固に達成され、より信頼性の高い逆止弁の作用効果を得ることができる。
【００２３】
請求項５記載の発明の手段は、請求項１、２、３または４記載の発明において外容体胴部と内容体胴部をチューブ体から形成することにある。
【００２４】
上記請求項５記載の構成により、押出し成形されたチューブ体等を使用し、このチューブ体の一端に、肩部と口部を射出成形あるいは圧縮成形によって取り付けて一体化し、外容体に内容体を下方から挿入後、残る一端を一緒にしてシールする等の手段で、容易に二重容器を形成することが可能となる。
【００２５】
請求項６記載の発明の手段は、請求項１、２、３、４または５記載の発明において、内容物を目薬とすること、にある。
【００２６】
外部の空気の雑菌あるいはごみ等の異物の容器本体内への進入を防ぐことができるので、衛生性、安全性に優れた目薬用の注出容器を提供することができる。
【００２７】
【発明の実施の形態】
以下、本発明の実施の形態を図面を参照しながら説明する。
図１〜５は本発明の注出容器の一実施例を示すものであり、外容体１、内容体１１、第１逆止弁部２１、第２逆止弁部２６および注出部３１の部材から構成され、このうち外容体１、内容体１１および注出部３１は硬質性の合成樹脂、第１逆止弁部２１および第２逆止弁部２６は軟質性の合成樹脂あるいはゴム状の材料から形成される。（以下主として要部拡大して示した縦断面図である図３を参照して説明する。）
【００２８】
外容体１はスクイズ変形可能で復元自在な可撓性を有する外容体胴部３の上部にテーパー状の肩部を介して円筒状の外容体口部２を立設したものであり、この外容体口部２の上端部には内鍔状に後述する内容体口部１３の係止溝１６に係止する係止内鍔片５が周設され、外周面には螺条２ａが刻設され、また内周面略中央高さ位置に段部２ｂが形成されその下部に、内容体口部１３との間に後述する第２逆止弁部２６が配置される空間を確保するようにしている。
【００２９】
内容体１１は減容変形自在に肉薄に形成された内容体胴部１２の上部にテーパー状の肩部を介して円筒状の内容体口部１３を立設したものであり、内周面の略中央高さ位置に内鍔周片１５が周設され注出口１７を形成し、外周面の上部には外容体１の係止内鍔片５が係止する係止溝１６が形成され、略中央高さ位置には後述する第１逆止弁部２１の外嵌筒片２７が密外嵌し、組付き固定するための周溝１９が形成され、さらに上端部から周溝１９に至る外気を導入するための吸気溝１８が（図４、５参照）複数（本一実施例では８ケ）形成されている。
【００３０】
本一実施例においては、外容体１および内容体１１はいずれも、押出し成形により得られたチューブ体の一端に、肩部と口部を射出成形あるいは圧縮成形によって取り付けて一体化し、外容体１に内容体１１を下方から挿入後、残る一端を一緒にしてシールし、シール部１０を形成して得られたものである。（図１、２参照）
【００３１】
第１逆止弁部２１は軟質性の合成樹脂あるいはゴム状の材料で形成され、円筒状の嵌入筒片２２の内周面の下端部近傍から小片状の連結片２４を介して下面中央部に半球状の凸部を有する円盤状の第１弁体２３を連接したものであり、嵌入筒片２２を内容体口部１３の内周面に密嵌入し、下端面を内鍔周片１５の上面に当接した状態で内容体口部１３に組付き固定し、連結片２４の可撓性、弾性的な回復変形性を利用して第１弁体２３が上下に揺動して注出口１７を開閉する逆止弁としての機能を発揮する。
【００３２】
第２逆止弁部２６は、軟質性の合成樹脂あるいはゴム状の材料で形成され、円筒状の外嵌筒片２７の下端に復元自在な内側への変形を可能に下方に拡径したテーパー筒状の第２弁体２８を垂下設したものであり、外嵌筒片２７を周溝１９の部分に密外嵌して内容体口部１３に組付き固定するが、この際外嵌筒片２７の上端面および下端面が周溝１９に当接した状態となるので、上下方向の位置決めも同時になされる。
【００３３】
なお、この第２逆止弁部２６の周溝１９への組付き固定はアンダーカット状態であるが、第２逆止弁部２６を柔軟性の大きな材料で形成することにより、内容体口部１３の上方から外嵌するようにして容易に実施することができる。
【００３４】
注出部３１は円筒状の注出筒片３２の上端に、外鍔状にフランジ片３３を連設、また縮径部を介して先端筒片３４を立設したものであり、注出筒片３２を嵌入筒片２２に密嵌入し、フラジ片３３の下面を内容体口部１３の上端面に当接した状態で、内容体口部１３の上端部に組付き固定する。
【００３５】
フランジ片３３および注出筒片３２により軟質性の材料で形成された第１逆止弁部２１を確実に固定すると共に、目的に応じた形状の先端筒片３４および注出先端口３５を形成することができる。
【００３６】
上述した外容本１、内容体１１、第１逆止弁部２１、第２逆止弁部２６および注出部３１を組み立てた状態で、外容体口部２の上端から、吸気溝１８を経て第２逆止弁部２６の第２弁体２８を介して、外容体１と内容体１１によって形成される空隙９に至る外部の進入する流動通路８が連通し、また第２弁体２８の外周端が外容体口部２の内周面に密に周設した状態となる。（図５参照）
【００３７】
なお通常、本一実施例の注出容器は使用しない際には、図１にあるように、オーバーキャップ４１を外容体口部２に螺合組付け等して保管する。
【００３８】
上記した組み立て状態から、外容体胴部３を指先で押圧すると、第１弁体２３が連結片２４を支点に、上部に持ち上がり、内容物が、先端の注出先端口３５から外部に注出され、押圧を解除すると内容物の注出が止まり、外容体胴部３がその弾性的な回復力により元の形に復元し始めるが、第1弁体２３の逆止弁機能により、内容体１１内部への内容物の逆流および外部の空気の進入を防ぐことができる。
【００３９】
この際、内容体１１の胴部は減容変形した状態を保持したままであるので、外部の空気が吸気溝１８から導入され、第2弁体２８を内側方向に変形させながら、空隙９に進入し、その結果として内容体１１は減容変形した形状のままで、外容体１は元の形状に復元される。図５において、２点鎖線で示した矢印は外容体口部２の上端面から吸気溝１８を通り、第２弁体２８を介して空隙９に至る外部の空気の流動通路８を示す。
【００４０】
外容体胴部３が元の形状に復元した状態から、内容物を注出するために再度押圧する際には、第2弁体２８の逆止機能により、吸気溝１８と空隙９との連通が遮断されるため、空隙９の空気が密封された状態となり、内容物に圧力が加えられ、内容物が第１弁体２３を開けて内容体１１から流出し、注出先端口３５から外部に注出される。
【００４１】
【発明の効果】
本発明は、上記した構成となっているので、以下に示す効果を奏する。
請求項１の発明にあっては、押圧による注出操作性を損なうことなく、外部の空気の容器内部への進入がない、衛生的に優れた注出容器を提供できるようになった。
【００４２】
また、外容体口部と内容体口部を直接組付き固定し、また、第１逆止弁部を内容体口部に、さらに第２逆止弁部を内容体口部あるいは外容体口部に嵌合組付けする構成であるので、部材数を少なくすること、容器の組み立て工程を簡略化することができ、目薬注出容器のような小型のものにおいても、２種の逆止弁を有した二重容器を高い生産性を維持しながら提供することが可能になった。
【００４３】
請求項２の発明にあっては、第２逆止弁部の組付き固定は、円筒状の外嵌筒片を円筒状の内容体口部に外嵌するものであり、位置決めをすることなく容器に容易に組付き固定することができ、また逆止弁としての作用効果を確実に発揮させることができる。
【００４４】
請求項３の発明にあっては、第１逆止弁部を円筒状の嵌入筒片を、円筒状の内容体口部に嵌入し組付き固定するので、容易に正確な位置への組付き固定を達成することでき、逆止弁としての作用効果を確実に発揮させることができる。
【００４５】
請求項４の発明にあっては、注出部により第１逆止弁部の組付き固定およびシール性がより強固に達成され、より信頼性の高い逆止弁としての作用効果を得ることができると共に目的に応じた形状の先端筒片および注出先端口を形成することができる。
【００４６】
請求項５記載の発明にあっては、押出し成形されたチューブ体等を使用し、このチューブ体の一端に、肩部と口部を射出成形あるいは圧縮成形によって取り付けて一体化し、外容体に内容体を下方から挿入後、残る一端を一緒にしてシールする等の手段で、容易に二重容器を形成することが可能となる。
【００４７】
請求項６記載の発明にあっては、外部の空気の雑菌あるいはごみ等の異物の容器本体内への進入を防ぐことができるので、衛生性、安全性に優れた目薬用の注出容器を提供することができる。
【図面の簡単な説明】
【図１】本発明の注出容器の一実施例にオーバーキャップを被せた状態を示す、半縦断側面図。
【図２】本発明の注出容器の一実施例にオーバーキャップを被せた状態を示す、正面図。
【図３】本発明の注出容器の一実施例を要部拡大して示す、縦断側面図。
【図４】図３のＡ−Ａ線に沿って示す、平断面図。
【図５】図３と同様に本発明の注出容器の一実施例を要部を拡大して、図４のＢ−Ｂ線に沿って示す、縦断側面図。
【符号の説明】
１  ；  外容体
２  ；  外容体口部
２ａ  ；  螺条
２ｂ  ；  段部
３  ；  外容体胴部
５  ；  係止内鍔片
８  ；  流動通路
９  ；  空隙
１０  ；  シール部
１１  ；  内容体
１２  ；  内容体胴部
１３  ；  内容体口部
１５  ；  内鍔周片
１６  ；  係止溝
１７  ；  注出口
１８  ；  吸気溝
１９  ；  周溝
２１  ；  第１逆止弁部
２２  ；  嵌入筒片
２３  ；  第１弁体
２４  ；  連結片
２６  ；  第２逆止弁部
２７  ；  外嵌筒片
２８  ；  第２弁体
３１  ；  注出部
３２  ；  注出筒片
３３  ；  フランジ片
３４  ；  先端筒片
３５  ；  注出先端口
４１  ；  オーバーキャップ
【図１】
0004129811.tif 000002
【図２】
0004129811.tif 000003
【図３】
0004129811.tif 000004
【図４】
0004129811.tif 000005
【図５】
0004129811.tif 000006